(57)【要約】【課題】非接触通信媒体が当該無線通信装置のアンテナ部の近傍に配置されたときでもアンテナ部からの強い磁界により通信断とならない無線通信装置を提供する。【解決手段】ＩＣカードに非接触で電力およびデータを送信するとともにＩＣカードからのデータを受信する非接触ＩＣカードリーダライタにおいて、送信回路に送信出力レベルをモニタする機能を設け、アンテナに非接触ＩＣカードのアンテナが近づき、この２つのアンテナが結合することで発生する非接触ＩＣカードリーダライタのアンテナ回路のインピーダンス変動に伴う送信出力レベルの変動を検出し、非接触ＩＣカードが接近したと判断し、これに連動して送信出力レベルを下げる。【選択図】      図１
2006054703.tif 000002
【特許請求の範囲】
【請求項１】
非接触通信媒体に対し当該非接触通信媒体が動作するための電力および所定のデータを非接触で送信するとともに、前記非接触通信媒体から送信されるデータを非接触で受信する無線通信装置において、
前記非接触通信媒体との間で非接触で送受信を行なう送受信手段と、
この送受信手段の前記非接触通信媒体に対する送信出力レベルの変動を検出する送信出力レベル監視手段と、
この送信出力レベル監視手段が送信出力レベルの変動を検出した際に前記送受信手段の送信出力レベルを可変制御する送信出力レベル制御手段と、
を具備したことを特徴とする無線通信装置。
【請求項２】
送信出力レベル制御手段は、前記送信出力レベル監視手段が送信出力レベルの変動を検出した際に前記送受信手段の送信出力レベルを低下させるよう前記送受信手段を制御することを特徴とする請求項１記載の無線通信装置。
【請求項３】
非接触通信媒体に対し当該非接触通信媒体が動作するための電力および所定のデータを非接触で送信するとともに、前記非接触通信媒体から送信されるデータを非接触で受信する無線通信装置において、
前記非接触通信媒体との間で非接触で送受信を行なう送受信手段と、
この送受信手段の前記非接触通信媒体に対する送信出力レベルの変動を検出する送信出力レベル監視手段と、
送信待機状態時には無変調キャリア信号を送出し、前記送信出力レベル監視手段が送信出力レベルの変動を検出するとポーリングコマンドを送出するよう前記送受信手段を制御する制御手段と、
を具備したことを特徴とする無線通信装置。
【請求項４】
前記制御手段は、ポーリングコマンドを送出した後、前記非接触通信媒体との送受信が終了すると、再び無変調キャリア信号を送出するよう前記送受信手段を制御することを特徴とする請求項３記載の無線通信装置。
【請求項５】
前記送信出力レベル監視手段は、前記送受信手段の前記非接触通信媒体に対する送信出力レベルを検出する送信出力レベル検出手段と、この送信出力レベル検出手段により検出された送信出力レベルとあらかじめ設定される閾値とを比較する比較手段とを具備し、前記比較手段による比較の結果、送信出力レベルが閾値よりも低い場合、前記送受信手段のアンテナ部に前記非接触通信媒体が接近することによる送信出力レベルの変動があったものと判断することを特徴とする請求項１または請求項３記載の無線通信装置。
【発明の詳細な説明】
【技術分野】
【０００１】
本発明は、たとえば、電磁誘導結合により誘起された電力で駆動される非接触ＩＣカード（非接触通信媒体）とデータの送受信を行なう非接触ＩＣカードリーダライタなどに適用して好適な無線通信装置に関する。
【背景技術】
【０００２】
一般に、この種の非接触ＩＣカードリーダライタは、上位装置に接続されていて、この上位装置は非接触ＩＣカードリーダライタに対し信号伝送に関するコマンドを送出するとともに、非接触ＩＣカードリーダライタから非接触ＩＣカードとの通信結果などを受取るようになっている。  
非接触ＩＣカードリーダライタは、非接触ＩＣカードと通信を行なうためにループアンテナから所定周波数のＡＳＫ（振幅偏移）変調信号を送出し、非接触ＩＣカードが非接触ＩＣカードリーダライタの動作圏内に入ると、非接触ＩＣカードリーダライタのループアンテナと非接触ＩＣカードのループアンテナとの間に発生する電磁誘導結合により非接触ＩＣカードに動作用の電力が供給される。非接触ＩＣカードは、受信データに対する応答を負荷変調により行ない、非接触ＩＣカードリーダライタは、この負荷変調データを包絡線検波により検出し、復調回路にて復調され、その復調データが上位装置へ転送される（たとえば、特許文献１参照）。
【特許文献１】特開平１０−１８７９１６号公報
【特許文献１】特開２００３−２８３３６７号公報
【発明の開示】
【発明が解決しようとする課題】
【０００３】
しかしながら、上記した従来技術によれば、非接触ＩＣカードリーダライタは、非接触ＩＣカードとの通信を安定して行なえるように通信エリアを少しでも大きくするため送信出力レベルを大きく設定し、送受信用のループアンテナの遠方における磁界強度を上げるようにしている。
【０００４】
しかし、このように遠方での磁界強度を上げると、必然的にループアンテナの近傍では磁界強度が強くなる。これにより、ループアンテナに非接触ＩＣカードが近づいた際に、非接触ＩＣカードでは、非接触ＩＣカードリーダライタからの強い磁界強度により内部のＩＣチップが破損するのを防ぐ保護回路が作動するようになっている。
【０００５】
結果として、非接触ＩＣカードは電源断状態になり、非接触ＩＣカードリーダライタとの通信が不能となってしまうため、非接触ＩＣカードリーダライタの送信出力レベルを非接触ＩＣカードが近接している状態にて非接触ＩＣカードの保護回路が作動しないレベルに設定し、それに伴い非接触ＩＣカードリーダライタの通信範囲が小さくなるという問題がある。
【０００６】
また、別の問題点として、複数の非接触ＩＣカードリーダライタを配置した利用形態では、各非接触ＩＣカードリーダライタを一斉に起動し、それぞれの非接触ＩＣカードリーダライタが非接触ＩＣカードへのポーリングコマンドを一定の周期で独立したタイミングで送信し、非接触ＩＣカードが１つの非接触ＩＣカードリーダライタのループアンテナの動作範囲に進入したら一連の通信処理を実行する。
【０００７】
そのため、複数配置した非接触ＩＣカードリーダライタのうちの１つの非接触ＩＣカードリーダライタに非接触ＩＣカードが接近して通信処理を開始した際に、他の非接触ＩＣカードリーダライタもポーリングコマンドを一定周期で送信しているため、非接触ＩＣカードリーダライタの配置によっては、通信処理中の非接触ＩＣカードリーダライタが他の非接触ＩＣカードリーダライタのポーリングコマンドにより通信しようとしている非接触ＩＣカードからの応答データを正常に受信できないことが発生し、複数ある非接触ＩＣカードリーダライタの距離を相互の影響がでない間隔まで離して配置するなど、設置条件に制約が設けられてしまうという問題がある。
【０００８】
そこで、本発明は、非接触通信媒体が当該無線通信装置のアンテナ部の近傍に配置されたときでもアンテナ部からの強い磁界により通信断とならない無線通信装置を提供することを目的とする。
【０００９】
また、本発明は、当該無線通信装置を複数配置しても相互の干渉により通信エラーが発生しない無線通信装置を提供することを目的とする。
【課題を解決するための手段】
【００１０】
本発明の無線通信装置は、非接触通信媒体に対し当該非接触通信媒体が動作するための電力および所定のデータを非接触で送信するとともに、前記非接触通信媒体から送信されるデータを非接触で受信する無線通信装置において、前記非接触通信媒体との間で非接触で送受信を行なう送受信手段と、この送受信手段の前記非接触通信媒体に対する送信出力レベルの変動を検出する送信出力レベル監視手段と、この送信出力レベル監視手段が送信出力レベルの変動を検出した際に前記送受信手段の送信出力レベルを可変制御する送信出力レベル制御手段とを具備している。
【００１１】
また、本発明の無線通信装置は、非接触通信媒体に対し当該非接触通信媒体が動作するための電力および所定のデータを非接触で送信するとともに、前記非接触通信媒体から送信されるデータを非接触で受信する無線通信装置において、前記非接触通信媒体との間で非接触で送受信を行なう送受信手段と、この送受信手段の前記非接触通信媒体に対する送信出力レベルの変動を検出する送信出力レベル監視手段と、送信待機状態時には無変調キャリア信号を送出し、前記送信出力レベル監視手段が送信出力レベルの変動を検出するとポーリングコマンドを送出するよう前記送受信手段を制御する制御手段とを具備している。
【発明の効果】
【００１２】
本発明によれば、非接触通信媒体が当該無線通信装置のアンテナ部の近傍に配置されたときでもアンテナ部からの強い磁界により通信断とならない無線通信装置を提供できる。
【００１３】
また、本発明は、当該無線通信装置を複数配置しても相互の干渉により通信エラーが発生しない無線通信装置を提供できる。
【発明を実施するための最良の形態】
【００１４】
以下、本発明の実施の形態について図面を参照して説明する。  
まず、第１の実施の形態について説明する。  
図１は、第１の実施の形態に係る無線通信装置としての非接触ＩＣカードリーダライタの構成を概略的に示すものである。この非接触ＩＣカードリーダライタは、そのアンテナ部に非接触ＩＣカードが翳されることで、当該非接触ＩＣカードとの間で通信を行なう場合の例を示している。
【００１５】
図１において、非接触ＩＣカードリーダライタ１は、コマンド送出や応答処理を行なう上位装置２に接続されていて、アンテナ１１に非接触ＩＣカード３が翳されることで、当該非接触ＩＣカード３に対しデータの読出しや書込みなどを行なうように構成されている。
【００１６】
非接触ＩＣカードリーダライタ１は、非接触ＩＣカード３と通信を行なうためのアンテナ（たとえば、ループアンテナ）１１、全体的な制御を行なう制御手段としての制御回路１２、送信信号を変調したり受信信号を復調したりする変復調回路１３、送受信手段としての送信回路１４および受信回路１５から構成されている。
【００１７】
非接触ＩＣカードリーダライタ１は、起動時に一定レベルのキャリア信号を送出し、上位装置２からのポーリングコマンドを受信すると、制御回路１２から変復調回路１３にコマンド送出命令が出され、変調されたデータが送信回路１４にて増幅され、アンテナ１１から送信される。
【００１８】
送信回路１４は、送信ドライバ１４１および送信出力レベル監視手段としての送信レベルモニタ部１４２により構成され、後述するようにアンテナ１１に非接触ＩＣカード３が接近することによる送信出力レベルの変動を送信レベルモニタ部１４２で検出し、送信ドライバ１４１へ送信出力レベルの低下を指示するように構成されている。
【００１９】
送信レベルモニタ部１４２は、たとえば、図２に示すように、送信出力レベルを検出する手段としてのレベル検出部１５０、電圧レベルの閾値をあらかじめ設定する検出レベル設定部１５１、および、レベル検出部１５０にて検出した送信出力レベルと、検出レベル設定部１５１にあらかじめ設定された閾値とを比較する比較手段としてのレベル比較部１５２から構成されている。
【００２０】
以下、第１の実施の形態に係る動作原理について図３〜図５を参照して説明する。  
本発明では、２つのループアンテナ（ループコイル）間の結合による自己インダクタンスの変動を利用したものである。図３に示すように、非接触ＩＣカードリーダライタ１のアンテナ（ループアンテナ）１１の自己インダクタンスをＬ１、非接触ＩＣカード３のアンテナ（ループアンテナ）３ａの自己インダクタンスをＬ２、２つのアンテナ１１，３ａ間の相互インダクタンスをＭ、結合係数をｋとすると、
Ｌ１＝Ｍ２／（ｋ２・Ｌ２）
と表わされる。
【００２１】
結合係数ｋは、２つのアンテナ１１，３ａ間の距離ｘに応じて［０≦ｋ≦１］の間で変化する。ｋ＝０は、２つのアンテナ１１，３ａ間の距離ｘが非常に離れている場合か、磁気シールドがなされている場合であり、ｋ＝１は、２つのアンテナ１１，３ａ間の距離ｘが限りなく「０」で、完全な電磁誘導結合がなされている場合である。また、結合度は２つのアンテナ１１，３ａのループ面積が等しい場合に「１」に近づき、ループ面積の差が大きくなるほど「０」へと近づく。
【００２２】
すなわち、非接触ＩＣカードリーダライタ１のアンテナ１１の大きさが非接触ＩＣカード３のアンテナ３ａの大きさに近いほど２つのアンテナ１１，３ａの結合が強く、上記式から非接触ＩＣカードリーダライタ１のアンテナ１１の自己インダクタンスＬ１が小さくなる。これに対し、非接触ＩＣカードリーダライタ１のアンテナ１１の大きさが非接触ＩＣカード３のアンテナ３ａに比べて大きくなるほど２つのアンテナ１１，３ａの結合は弱くなり、非接触ＩＣカードリーダライタ１のアンテナ１１の自己インダクタンスＬ１は大きくなる。
【００２３】
図４に示すように、非接触ＩＣカード３が非接触ＩＣカードリーダライタ１のアンテナ１１の通信エリアＥ内の遠方にある場合は、非接触ＩＣカードリーダライタ１のアンテナ１１と非接触ＩＣカード３のアンテナ３ａとの間の結合が弱く、非接触ＩＣカードリーダライタ１のアンテナ１１のインピーダンス変動も小さいため、非接触ＩＣカードリーダライタ１における送信回路１４の送信出力レベルの変動はほとんどない。
【００２４】
これに対し、図５に示すように、非接触ＩＣカード３が非接触ＩＣカードリーダライタ１のアンテナ１１の近くにある場合は、非接触ＩＣカードリーダライタ１のアンテナ１１と非接触ＩＣカード３のアンテナ３ａとの結合が強くなり、非接触ＩＣカードリーダライタ１のアンテナ１１のインピーダンスが変動し、結果として送信回路１４の送信出力レベルの変動が発生する。
【００２５】
送信回路１４では、送信レベルモニタ部１４２において、レベル検出部１５０にて検出した送信出力レベルと、検出レベル設定部１５１にあらかじめ設定された電圧レベルの閾値とをレベル比較部１５２へ入力し、両者の比較結果を得る。ここで、検出レベル設定部１５１で設定する閾値としての電圧レベルは、あらかじめ決定した電圧レベルを固定レベルとして設定してもよく、あるいは、制御回路１２から使用アンテナに応じた値を可変設定できる構成としてもよい。
【００２６】
本実施の形態においては、キャリア送信出力レベルのピーク値をａ１［Ｖ］、非接触ＩＣカード３が非接触ＩＣカードリーダライタ１のアンテナ１１に接近した場合のキャリア送信出力レベルのピーク値をａ２［Ｖ］、検出レベル設定部１５１の電圧設定値をｂ［Ｖ］とすると、非接触ＩＣカード３が非接触ＩＣカードリーダライタ１のアンテナ１１の遠方にある場合、キャリア送信出力レベルはａ１［Ｖ］のままであり、検出レベル設定部１５１の電圧設定値をｂ［Ｖ］よりも大きいので、レベル比較部１５２からの出力は変化しない。
【００２７】
これに対し、非接触ＩＣカード３が非接触ＩＣカードリーダライタ１のアンテナ１１に接近した場合、キャリア送信出力レベルのピーク値はａ２［Ｖ］となり、検出レベル設定部１５１の電圧設定値ｂ［Ｖ］を下回ると、非接触ＩＣカード３が非接触ＩＣカードリーダライタ１のアンテナ１１に接近したと判断し、送信回路１４の送信出力レベルを低下させる。送信出力レベルを下げても、非接触ＩＣカード３は非接触ＩＣカードリーダライタ１のアンテナ１１に近接していて、充分な電力を受けているので、非接触ＩＣカード３は通信可能である。
【００２８】
このように、非接触ＩＣカード３が非接触ＩＣカードリーダライタ１のアンテナ１１に接近した場合に生じるアンテナ１１のインピーダンス変動を検出し、送信回路１４の送信出力レベルを低下させることにより、非接触ＩＣカード３の保護回路が作動するのを防ぐことができるので、非接触ＩＣカード３がアンテナ１１の近傍にあっても通信断とならないため、送信回路１４の送信出力レベルを大きくすることができ、結果として通信エリアを拡大することが可能となる。
【００２９】
以上説明したように、第１の実施の形態によれば、非接触ＩＣカードリーダライタの送信回路に送信出力レベルをモニタする機能を設け、非接触ＩＣカードリーダライタのアンテナに非接触ＩＣカードのアンテナが近づき、この２つのアンテナが結合することで発生する非接触ＩＣカードリーダライタのアンテナ回路のインピーダンス変動に伴う送信出力レベルの変動を検出し、非接触ＩＣカードが接近したと判断し、これに連動して送信出力レベルを下げることにより、非接触ＩＣカードの保護回路が作動するのを防ぐことができるので、非接触ＩＣカードが非接触ＩＣカードリーダライタのアンテナ近傍にあっても通信断とならないため、非接触ＩＣカードリーダライタの送信出力を大きくすることができ、結果として通信エリアを拡大することが可能となる。
【００３０】
次に、第２の実施の形態について説明する。  
図６は、第２の実施の形態に係る無線通信装置としての非接触ＩＣカードリーダライタの構成を概略的に示すものである。第２の実施の形態は、非接触ＩＣカードリーダライタを複数配置して非接触ＩＣカードとの通信を行なう場合の例である。なお、前述した第１の実施の形態と同一部分には同一符号を付して説明する。
【００３１】
図６において、複数の非接触ＩＣカードリーダライタ１，１，…は、コマンド送出や応答処理を行なう上位装置２に接続されていて、アンテナ１１に非接触ＩＣカード３が翳されることで、当該非接触ＩＣカード３に対しデータの読出しや書込みなどを行なうように構成されている。
【００３２】
各非接触ＩＣカードリーダライタ１は、非接触ＩＣカード３と通信を行なうためのアンテナ（たとえば、ループアンテナ）１１、全体的な制御を行なう制御手段としての制御回路１２、送信信号を変調したり受信信号を復調したりする変復調回路１３、送受信手段としての送信回路１４および受信回路１５から構成されている。
【００３３】
各非接触ＩＣカードリーダライタ１は、起動時に一定レベルのキャリア信号を送出し、上位装置２からのポーリングコマンドを受信すると、制御回路１２から変復調回路１３にコマンド送出命令が出され、変調されたデータが送信回路１４にて増幅され、アンテナ１１から送信される。
【００３４】
送信回路１４は、送信ドライバ１４１および送信出力レベル監視手段としての送信レベルモニタ部１４２により構成され、後述するようにアンテナ１１に非接触ＩＣカード３が接近することによる送信出力レベルの変動を送信レベルモニタ部１４２で検出し、制御回路１２へ送信出力レベルの低下を指示するように構成されている。
【００３５】
送信レベルモニタ部１４２は、たとえば、図２に示すように、送信出力レベルを検出する手段としてのレベル検出部１５０、電圧レベルの閾値をあらかじめ設定する検出レベル設定部１５１、および、レベル検出部１５０にて検出した送信出力レベルと、検出レベル設定部１５１にあらかじめ設定された閾値とを比較する比較手段としてのレベル比較部１５２から構成されている。
【００３６】
以下、第２の実施の形態に係る動作原理について図７〜図１０を参照して説明する。  
複数の非接触ＩＣカードリーダライタ１は、起動後、それぞれ接続された上位装置２からポーリング送信指示を受信し、ポーリング送信待機状態となる。このとき、各非接触ＩＣカードリーダライタ１はキャリア送信状態（無変調キャリア信号送出状態）となっている。
【００３７】
この状態で、図８に示すように、非接触ＩＣカード３が１つの非接触ＩＣカードリーダライタ１に接近したとき、前述したように、非接触ＩＣカード３が非接触ＩＣカードリーダライタ１のアンテナ１１の近くにある場合は、非接触ＩＣカードリーダライタ１のアンテナ１１と非接触ＩＣカード３のアンテナ３ａとの結合が強くなり、非接触ＩＣカードリーダライタ１のアンテナ１１のインピーダンスが変動し、結果として送信出力レベルの変動が発生する。
【００３８】
送信回路１４では、前述したように、送信レベルモニタ部１４２にて送信出力レベルの変動を検出し、非接触ＩＣカードリーダライタ１のアンテナ１１へ非接触ＩＣカード３が接近したことを制御回路１２へ通知する。制御回路１２は、アンテナ１１に非接触ＩＣカード３が接近したことを認識して、ポーリングコマンドを送出し、非接触ＩＣカード３からの応答内容に応じて非接触ＩＣカード３との通信を終了させる。通信完了後は、再びキャリア送出状態（無変調キャリア信号送出状態）に移行する。
【００３９】
ここで、具体例をあげて説明すると、たとえば、図９に示すように、３つの非接触ＩＣカードリーダライタ１Ａ，１Ｂ，１Ｃが配置された場合、非接触ＩＣカード３が接近した非接触ＩＣカードリーダライタ１Ｂのみが当該非接触ＩＣカード３へのポーリングコマンドを送出し、他の非接触ＩＣカードリーダライタ１Ａ，１Ｃはポーリングコマンドを送出せず、無変調状態となっているので、非接触ＩＣカードリーダライタ１Ｂの非接触ＩＣカード３との通信に影響を与えず、非接触ＩＣカード３が接近した非接触ＩＣカードリーダライタ１Ｂは非接触ＩＣカード３との通信を正常に完了することができる。結果として、複数の非接触ＩＣカードリーダライタを近接して配置しても、相互に干渉することのない確実な通信を行なうことが可能となる。  
なお、図９において、符号ａは非接触ＩＣカードリーダライタからのポーリングコマンドの送信を示し、符号ｂは非接触ＩＣカードからの応答を示し、符号ｃは非接触ＩＣカードリーダライタからの無変調キャリア信号の送信を示している。
【００４０】
図１０は、従来技術における複数の非接触ＩＣカードリーダライタ配置による相互干渉発生の様子を示している。前述したように、複数の非接触ＩＣカードリーダライタを配置した利用形態では、各非接触ＩＣカードリーダライタを一斉に起動し、それぞれの非接触ＩＣカードリーダライタが非接触ＩＣカードへのポーリングコマンドを一定の周期で独立したタイミングで送信し、非接触ＩＣカードが１つの非接触ＩＣカードリーダライタのループアンテナの動作範囲に進入したら一連の通信処理を実行するので、送信回り込みによる干渉が生じる。この例は、非接触ＩＣカードリーダライタ１Ｂに対し非接触ＩＣカード３が接近した場合を示している。  
なお、図１０において、符号ａは非接触ＩＣカードリーダライタからのポーリングコマンドの送信を示し、符号ｂは非接触ＩＣカードからの応答を示している。
【００４１】
以上説明したように、第２の実施の形態によれば、複数の非接触ＩＣカードリーダライタを配置し、非接触ＩＣカードが接近した非接触ＩＣカードリーダライタのみで通信を行なう構成において、非接触ＩＣカードリーダライタの送信回路に送信出力レベルをモニタする機能を設け、非接触ＩＣカードリーダライタは起動時に無変調キャリア信号送出状態であって、非接触ＩＣカードリーダライタのアンテナに非接触ＩＣカードのアンテナが近づき、この２つのアンテナが結合することで発生する非接触ＩＣカードリーダライタのアンテナ回路のインピーダンス変動に伴う送信出力レベルの変動を検出し、非接触ＩＣカードが接近したと判断してポーリングコマンドを送出する。
【００４２】
各非接触ＩＣカードリーダライタが上記の動作を行なうことにより、非接触ＩＣカードが接近した非接触ＩＣカードリーダライタのみが非接触ＩＣカードへのポーリングコマンドを送出し、他の非接触ＩＣカードリーダライタはポーリングコマンドを送出せず無変調状態となっているので、他の非接触ＩＣカードリーダライタに影響を与えず、非接触ＩＣカードが接近した非接触ＩＣカードリーダライタは当該非接触ＩＣカードとの通信を正常に完了することができる。結果として、複数の非接触ＩＣカードリーダライタを近接して配置しても相互に干渉することがない。
【図面の簡単な説明】
【００４３】
【図１】本発明の第１の実施の形態に係る非接触ＩＣカードリーダライタの構成を概略的に示すブロック図。
【図２】送信レベルモニタ部の構成を概略的に示すブロック図。
【図３】第１の実施の形態に係る動作原理について説明するための模式図。
【図４】第１の実施の形態に係る動作原理について説明するためのもので、非接触ＩＣカードが非接触ＩＣカードリーダライタのアンテナから遠い場合を示す模式図。
【図５】第１の実施の形態に係る動作原理について説明するためのもので、非接触ＩＣカードが非接触ＩＣカードリーダライタのアンテナに近い場合を示す模式図。
【図６】本発明の第２の実施の形態に係る非接触ＩＣカードリーダライタの構成を概略的に示すブロック図。
【図７】第２の実施の形態に係る動作を説明するためのフローチャート。
【図８】第２の実施の形態に係る動作原理について説明するためのもので、非接触ＩＣカードが非接触ＩＣカードリーダライタのアンテナに近い場合を示す模式図。
【図９】第２の実施の形態における複数の非接触ＩＣカードリーダライタ配置による相互干渉の発生が生じない様子を示す模式図。
【図１０】従来技術における複数の非接触ＩＣカードリーダライタ配置による相互干渉発生の様子を示す模式図。
【符号の説明】
【００４４】
１…非接触ＩＣカードリーダライタ（無線通信装置）、２…上位装置、３…非接触ＩＣカード（非接触通信媒体）、１１…アンテナ、１２…制御回路（制御手段）、１３…変復調回路、１４…送信回路（送受信手段）、１５…受信回路（受信手段）、１４１…送信ドライバ、１４２…送信レベルモニタ部（送信出力レベル監視手段）、１５０…レベル検出部（送信出力レベル検出手段）、１５１…検出レベル設定部、１５２…レベル比較部（比較手段）。
【図１】
2006054703.tif 000003
【図２】
2006054703.tif 000004
【図３】
2006054703.tif 000005
【図４】
2006054703.tif 000006
【図５】
2006054703.tif 000007
【図６】
2006054703.tif 000008
【図７】
2006054703.tif 000009
【図８】
2006054703.tif 000010
【図９】
2006054703.tif 000011
【図１０】
2006054703.tif 000012